(57)【要約】【課題】収容部の排出口に仕切板などを備えたゲートがなくても廃棄物を圧縮し、ブロック化することができるようにした廃棄物プレス装置を提供する。【解決手段】一対の平行に立設された壁板１１，１２間の上部が開口した投入口１３とされ、先端部が開口した排出口１４とされた廃棄物の収容部１０と、該収容部１０の投入口１３を開閉し、投入口１３を閉塞した状態において排出口１４を閉じる仕切板２１が先端に連続して設けられた押蓋２２と、該押蓋２２を収容部１０の底板１５の方へ押圧する鉛直方向の圧縮手段３０と、前記収容部１０内でその奥部１６から排出口１４側へ押圧体４１を移動させる水平方向の圧縮手段４０とが備えられている。【選択図】　図１
2004082138.tif 000002
【特許請求の範囲】
【請求項１】
対向する一対の壁板間の上部が開口して投入口とされ、かつ先端部が開口して排出口とされた廃棄物の収容部と、
該収容部の投入口を開閉し、投入口を閉塞した状態において排出口を閉じる仕切板が先端に連続して設けられた押蓋と、
該押蓋を収容部の底板の方へ押圧する鉛直方向の圧縮手段と、
前記収容部内で廃棄物を排出口側へ圧縮しながら移動させる押圧体を有する水平方向の圧縮手段とが備えられていることを特徴とする廃棄物プレス装置。
【請求項２】
前記鉛直方向の圧縮手段は、立設された塔部に揺動可能に取り付けられた蓋押シリンダと、該蓋押シリンダから伸長・縮退するロッドとによって構成され、
前記押蓋は、その基端部が収容部に軸によって揺動自在に取り付けられ、
前記圧縮手段のロッドの先端と押蓋とが軸によって連結されていることを特徴とする請求項１に記載の廃棄物プレス装置。
【請求項３】
前記押蓋の仕切板の外面に外向きに突出した突出部と、仕切板の外面に前記突出部よりも長く突出した突起部と、押蓋が収容部の投入口を閉塞した状態で、該突出部の正面および突起部の上面を衝止するように壁板から収容部内に突出し、任意に収容部内から退入するかんぬき（閂）とによって構成される押蓋ロック装置が備えられていることを特徴とする請求項１または２に記載の廃棄物プレス装置。
【請求項４】
前記押蓋ロック装置の突出部は、仕切板の外面の両端部付近の２か所に設けられ、仕切板の端側よりも中心側の側面が長く突出して正面がテーパ面とされ、前記かんぬきの突出部を衝止する面が、前記テーパ面と接合するテーパ面とされていることを特徴とする請求項３に記載の廃棄物プレス装置。
【請求項５】
収容部の投入口を閉塞した状態の仕切板の先端が位置する部位で、押蓋が収容部の投入口を閉塞するまで壁板から収容部内に突出し、任意に収容部から退入するストッパを有する滑り防止装置が備えられていることを特徴とする請求項１から４のいずれか一つに記載の廃棄物プレス装置。
【請求項６】
押蓋が収容部の投入口を閉塞した状態で、仕切板の内面と排出口側へ移動した押圧体との間で、一方の壁板側から他方の壁板側へ移動する副押圧体を有する幅方向の圧縮手段が備えられていることを特徴とする請求項１から５のいずれか一つに記載の廃棄物プレス装置。
【発明の詳細な説明】
【０００１】
【発明の属する技術分野】
本発明は、廃棄された自動車や家庭電化製品などの廃棄物を圧縮しブロック化する廃棄物プレス装置に関し、詳しくは、故障しやすい部分を有さないように構成した廃棄物プレス装置に関する。
【０００２】
【従来の技術】
廃棄された自動車や家庭電化製品などの廃棄物は、輸送ないし保管のコストダウンを図るため、廃棄物プレス装置によって圧縮され、ブロック化されている。従来の廃棄物プレス装置は図４に示すように、上部が開口した投入口１１１とされる廃棄物の収容部１１０と、該収容部１１０の投入口１１１を開閉する押蓋１２０と、該押蓋１２０を開閉するための鉛直方向の圧縮手段１３０と、収容部１１０の先端部で開口した排出口１１２を開閉するゲート１４０と、収容部１１０内でその奥部１１３から排出口１１２の方へ廃棄物を圧縮しながら移動させる押圧体１５１を有する水平方向の圧縮手段１５０が備えられている。
【０００３】
収容部１１０は、地面に設置される底板（図示せず）と、該底板の両側に立設された壁板１１４とによって、縦断面が上向きコ字形に形成され、上部が廃棄物の投入口１１１とされている。押蓋１２０は、その基端部が収容部１１０の奥部１１３側に軸１２１によって開閉自在に取り付けられている。鉛直方向の圧縮手段１３０は、蓋押シリンダ１３１と該蓋押シリンダ１３１から伸長・縮退するロッド１３２とによって構成され、該押蓋シリンダ１３１が収容部１１０の奥部１１３側に立設された塔部１１５の上端に揺動可能に取り付けられている。該蓋押シリンダ１３１から伸長・縮退するロッド１３２の先端と押蓋１２０の表面の中間部とが軸１２２によって連結され、収容部１１０の投入口１１１は、ロッド１３２が伸長すると押蓋１２０によって閉塞され、縮退すると開口された状態となる。
【０００４】
またゲート１４０は、排出口１１２付近の両壁板１１４の対向面に設けられた一対のガイド（図示せず）と、該ガイドに案内されて昇降動する仕切板１４１と、該仕切板１４１を昇降動させる一対のゲートシリンダ１４２とによって構成されている。また水平方向の圧縮手段１５０は、収容部１１０の奥部１１３外側に配置されるメインシリンダ１５２と、該メインシリンダ１５２から伸長・縮退するロッド１５３と、該ロッド１５３の先端部に取り付けられる押圧体１５１から構成されている。該ロッド１５３が最も縮退すると、押圧体１５１が収容部１１０の奥部１１３に位置し、ロッド１５３が最大限伸長すると、押圧体１５１が収容部１１０の排出口１１２に位置する。
【０００５】
従来の廃棄物プレス装置は、以上のように構成され、次に廃棄物を圧縮しブロック化する方法について説明する。
【０００６】
まず、蓋押シリンダ１３１のロッド１３２を縮退し、図４仮想線に示すように押蓋１２０が収容部１１０の投入口１１１を開口した状態とし、かつゲート１４０の仕切板１４１が下降し、収容部１１０の排出口１１２が閉じられた状態とし、かつメインシリンダ１５２のロッド１５３が縮退し、押圧体１５１が収容部１１０の奥部１１３側に位置した状態として、廃棄物を収容部１１０内に投入する。このとき、廃棄物がワゴン車のように嵩の高いものであると、廃棄物の上部は収容部１１０の投入口１１１から突出する。
【０００７】
次に、図４実線に示すように蓋押シリンダ１３１のロッド１３２を伸長し、押蓋１２０が収容部１１０の投入口１１１を閉塞し、収容部１１０内を密閉した空間とする。このとき、廃棄物の嵩が高くても、廃棄物の上部は押蓋１２０に押圧され、収納部内に納められる。
【０００８】
次に、メインシリンダ１５２のロッド１５３を伸長し、押圧体１５１が収容部１１０内の廃棄物を排出口１１２の方へ押圧する。廃棄物は押圧体１５１とゲート１４０の仕切板１４１とに挟まれ、圧縮される。収容部１１０内の廃棄物は底板と両壁板１１４と押圧体１５１と仕切板１４１とに囲まれて圧縮されるため、直方体状にブロック化される。最後に、ゲート１４０のゲートシリンダ１４２を作動して仕切板１４１を上昇させ、開口部を開けた後、メインシリンダ１５２のロッド１５３をさらに伸長することにより、ブロック化された廃棄物が収容部１１０内から排出される。従来の廃棄物プレス装置にあっては、前記動作が繰り返される。
【０００９】
なお、廃棄物内にガソリンやスプレー缶などが含まれていても爆発しないようにした圧縮固化装置が特開２０００−１７６６９２に開示されている。この圧縮固化装置は、収容部の壁板にガス抜き穴を備えたことを特徴としており、ゲートシリンダによって仕切板が昇降動するゲートが備えられている。
【００１０】
【発明が解決しようとする課題】
ところで、廃棄物には、ガラスやプラスチックのように粉砕されやすい部品が含まれている。この粉砕されやすい部品は、廃棄物が押蓋１２０や押圧体１５１に押圧され、圧縮されたときに、細かい屑となり、ゲート１４０のガイドと仕切板１４１との間に嵌り込み、仕切板１４１が昇降動しなくなったり、仕切板１４１が昇降動する位置の底板１１３上に飛散することにより、仕切板１４１が完全に閉まらなくなるなどの作動不良が生じる。このため、従来の廃棄物プレス装置にあっては、保守作業が頻繁に必要となり、廃棄物の処理がたびたび中断することから効率が悪いだけでなく、保守作業のために廃棄物処理のコストがアップするといった問題が生じている。
【００１１】
また、ゲート１４０はガイド、仕切板１４１そしてゲートシリンダ１４２から構成され、部品点数が多く、また組付け作業が面倒であることから、コストアップの一因ともなる。このような問題点は、前記特開２０００−１７６６９２に開示された圧縮固化装置によっても解決されていない。
【００１２】
そこで本発明は、収容部の排出口に仕切板などを備えたゲートがなくても廃棄物を圧縮し、ブロック化することができるようにした廃棄物プレス装置を提供することを課題としている。
【００１３】
【課題を解決するための手段】
本発明の廃棄物プレス装置は、対向する一対の壁板間の上部が開口して投入口とされ、かつ先端部が開口して排出口とされた廃棄物の収容部と、該収容部の投入口を開閉し、投入口を閉塞した状態において排出口を閉じる仕切板が先端に連続して設けられた押蓋と、該押蓋を収容部の底板の方へ押圧する鉛直方向の圧縮手段と、前記収容部内で廃棄物を排出口側へ圧縮しながら移動させる押圧体を有する水平方向の圧縮手段とが備えられていることを特徴としている。
【００１４】
この廃棄物プレス装置によれば、押蓋が収容部の投入口を開口した状態で廃棄物を収容部内に投入し、その後、押蓋が収容部の投入口を閉塞し、押蓋に設けられた仕切板が収容部の排出口を閉じる状態とする。そして、水平方向の圧縮手段の押圧体が廃棄物を排出口の方へ移動すると、収容部内の廃棄物は押圧体と仕切板とに挟まれ、圧縮され、ブロック化される。
【００１５】
前記鉛直方向の圧縮手段は、立設された塔部に揺動可能に取り付けられた蓋押シリンダと、該蓋押シリンダから伸長・縮退するロッドとによって構成され、前記押蓋は、その基端部が収容部に軸によって揺動自在に取り付けられ、前記圧縮手段のロッドの先端と押蓋とが軸によって連結されていることが好ましい。
【００１６】
この廃棄物プレス装置によれば、押蓋は蓋押シリンダのロッドが縮退・伸長することによって、収容部の投入口を開閉する。押蓋が投入口を閉塞すると、仕切板が収容部の排出口を閉じる状態となり、押蓋が投入口を開口すると、仕切板が収容部の排出口を開く状態となる。
【００１７】
本発明の廃棄物プレス装置は、前記押蓋の仕切板の外面に外向きに突出した突出部と、仕切板の外面に前記突出部よりも長く突出した突起部と、押蓋が収容部の投入口を閉塞した状態で、該突出部の正面および突起部の上面を衝止するように壁板から収容部内に突出し、任意に収容部内から退入するかんぬき（閂）とによって構成される押蓋ロック装置が備えられていることが好ましい。
【００１８】
この廃棄物プレス装置によれば、押蓋ロック装置を備えたことにより、押蓋が収容部の投入口を閉塞した状態でかんぬきが突出すると、押蓋は押蓋ロック装置によって固定される。すなわち、水平方向の圧縮手段によって、押圧体が廃棄物を仕切板の方へ押圧しても、かんぬきが突出部の正面を衝止していることにより、押蓋と仕切板との結合部に負荷がかからないようにして、耐久性を向上させることができる。また、収容部の投入口を閉塞した押蓋に開口させようとする力が加えられても、かんぬきが突起部の上面を衝止していることにより、押蓋シリンダや押蓋を取り付けている軸などに無理な力が加わらず、押蓋は開口することがないだけでなく、耐久性を向上させることができる。そして、押蓋を開閉するときは、かんぬきは退入した状態とされる。
【００１９】
前記押蓋ロック装置の突出部は、仕切板の外面の両端部付近の２か所に設けられ、仕切板の端側よりも中心側の側面が長く突出して正面がテーパ面とされ、前記かんぬきの突出部を衝止する面が、前記テーパ面と接合するテーパ面とされていることが好ましい。
【００２０】
この廃棄物プレス装置によれば、押蓋ロック装置の突出部が仕切板の外面の両端部付近の２か所に設けられることにより、押蓋は押し蓋ロック装置によってバランスよく固定され、また押蓋が収容部の投入口を閉塞した状態で、かんぬきのテーパ面と突出部のテーパ面とが衝止することにより、仕切板と直交する方向すなわち、かんぬきの幅方向に加えられる力がかんぬきの軸方向にも分解され、かんぬきに加えられる幅方向の負荷が軽減される。
【００２１】
本発明の廃棄物プレス装置は、収容部の投入口を閉塞した状態の仕切板の先端が位置する部位で、押蓋が収容部の投入口を閉塞するまで壁板から収容部内に突出し、任意に収容部から退入するストッパを有する滑り防止装置が備えられていることが好ましい。
【００２２】
この廃棄物プレス装置によれば、滑り防止装置が備えられていることにより、押蓋が収容部の投入口を閉塞するときに、押蓋から収容部内の廃棄物に排出口の方へ移動させようとする力が加えられても、突出したストッパが廃棄物を衝止する。したがって、押蓋が投入口を閉塞するときに、仕切板の先端が廃棄物を押し付けることがないようにすることができる。
【００２３】
本発明の廃棄物プレス装置は、押蓋が収容部の投入口を閉塞した状態で、仕切板の内面と排出口側へ移動した押圧体との間で、一方の壁板側から他方の壁板側へ移動する副押圧体を有する幅方向の圧縮手段が備えられていてもよい。
【００２４】
この廃棄物プレス装置によれば、収容部内の廃棄物が押圧体と仕切板とに挟まれて圧縮された後、幅方向の圧縮手段の副押圧体が一方の壁板側から他方の壁板側へ移動することにより、廃棄物はさらに圧縮され、一層のコンパクト化を図ることができる。
【００２５】
【発明の実施の形態】
本発明にかかる廃棄物プレス装置の一実施形態を図１から図３を参照しながら説明する。本実施形態の廃棄物プレス装置は、対向する一対の壁板１１，１２間の上部が開口して投入口１３とされ、かつ先端部が開口して排出口１４とされた廃棄物の収容部１０と、該収容部１０の投入口１３を開閉し、投入口１３を閉塞した状態において排出口１４を閉じる仕切板２１が先端に連続して設けられた押蓋２２と、該押蓋２２を収容部１０の底板１５の方へ押圧する鉛直方向の圧縮手段３０と、前記収容部１０内で廃棄物を排出口１４側へ圧縮しながら移動させる押圧体４１を有する水平方向の圧縮手段４０とが備えられている。
【００２６】
収容部１０の壁板１１，１２は、少なくとも大型のワゴン車の幅よりも広い幅の底板１５の両側に、大型のワゴン車の嵩よりも高く、平行に立設されている。そして、壁板１１，１２および底板１５は、多数の並列に配列されたＨ形鋼と必要最小限の厚さを有する鋼板とを一体化したもので、軽量化を図りつつ、例えば約８０トンの圧力に耐えることができるようにされている。また、排出口１４には、従来のようにピストンによって昇降動する仕切板を備えたゲートは設けられていない。ただし、排出口１４の上部であって、一対の壁板１１，１２が対向している上角部には、壁板１１，１２の間隔が広がることなく、平行を維持するようにするための補強部材１８が掛け渡されている。
【００２７】
そして押蓋２２は、その基端部が収容部１０の奥部側に軸２３によって揺動自在に取り付けられ、押蓋２２が投入口１３を閉塞したときに、仕切板２１が排出口１４を閉じ、仕切板２１の先端面と収容部１０の底板１５とが当接するようにされている。押蓋２２は、揺動しやすいように軽量化を図りつつ例えば約８０トンの圧力に耐えることができるようにするため、鋼板が多数の並列に配置されたコ字形鋼に固定されている。また、仕切板２１もコ字形鋼が組み合わされ、軽量化が図られている。押蓋２２と仕切板２１とは、Ｌ字形鋼によってＬ字形に一体成形してもよく、あるいは溶接によってＬ字形に一体化してもよい。
【００２８】
押蓋２２を揺動させ、かつ収容部１０の底板１５の方へ押圧する鉛直方向の圧縮手段３０は、蓋押シリンダ３１と、油圧によって該蓋押シリンダ３１から伸長・縮退するロッド３２によって構成されている。蓋押シリンダ３１は、収容部１０の奥部１６に立設された塔部１７に揺動可能に取り付けられている。蓋押シリンダ３１は、図１に示したような１台または必要に応じて２台以上、並列に配備される。そして、ロッド３２の先端と押蓋２２の表面の好ましくは中間部とは軸２４によって連結され、ロッド３２が伸張すると、押蓋２２が軸２３を支点に収容部１０の投入口１３を閉塞し、ロッド３２が縮退すると、押蓋２２が軸２３を支点に収容部１０の投入口１３を開口する。
【００２９】
そして、水平方向の圧縮手段４０は、収容部１０の奥部１６外側に配置されるメインシリンダ４２と、油圧によって該メインシリンダ４２から伸長・縮退するロッド４３と、該ロッド４３の先端部に取り付けられる押圧体４１とから構成される。押圧体４１の幅は、一対の平行に立設された壁板１１，１２間の幅と同じであり、高さは収容部１０の底板１５と収容部１０を閉塞した押蓋２２との間隔と同じである。そして押圧体４１は、ロッド４３が最も縮退すると、収容部１０の奥部１６に位置し、ロッド４３が最大限伸長すると、収容部１０の排出口１４まで進行する。さらに水平方向の圧縮手段４０には、押圧体４１が廃棄物を仕切板２１との間に挟んで押圧し、廃棄物が所定の大きさまで圧縮されると、押圧体４１がそれ以上進行しないようにロッド４３の伸長を停止するリミットスイッチ（図示せず）が備えられている。
【００３０】
そして、本実施形態の廃棄物プレス装置は、押蓋ロック装置５０が備えられている。押蓋ロック装置５０は図３に示すように、押蓋２２の仕切板２１の外面に突出した突出部５１と、仕切板２１の外面で、閉塞された状態において突出部５１よりも下側で前記突出部５１よりも長く突出した突起部５２と、収容部１０内に突出・退入するかんぬき（閂）５３とによって構成されている。この押蓋ロック装置５０は、押蓋２２が収容部１０の投入口１３を閉塞した状態において、かんぬき５３が収容部１０内に突出し、かんぬき５３の側面が突出部５１の正面と接合するとともに、かんぬき５３の底面が突起部５２の上面と接合する。このかんぬき５３は、ロック用シリンダ５４から油圧によって伸長・縮退するロッド５５の先端に取り付けられ、突出・退入する。
【００３１】
また突出部５１と突起部５２とは、仕切板２１内に埋め込まれて固定される固定部５６とともに一体に成形されている。このような突出部５１と突起部５２と固定部５６は、仕切板２１の両端部付近の２か所に設けられている。かんぬき５３も両壁板１１，１２に対向するように設けられ、両壁板１１，１２には、かんぬき５３が突出・退入するための貫通口が形成されている。そして、突出部５１の正面は仕切板２１の端側よりも中心側の側面が長く突出するテーパ面５１ａが形成されている。他方、かんぬき５３が突出部５１を衝止する面にも、突出部５１のテーパ面５１ａと接合するテーパ面５３ａが形成されている。このように、テーパ面５１ａ，５３ａが形成されることにより、仕切板２１と直交する方向すなわち、かんぬき５３の幅方向に力が加えられても、その力はかんぬき５３の軸方向にも分解され、かんぬき５３の幅方向に加えられる負荷が軽減される。
【００３２】
そして、本実施形態の廃棄物プレス装置は、滑り防止装置６０が備えられている。滑り防止装置６０は、滑り防止シリンダ６２と、油圧によって伸長・縮退するロッド（図示せず）と、該ロッドの先端に取り付けられる例えば角柱状のストッパ６１とから構成されている。このような滑り防止装置６０は図１および図２に示すように、収容部１０の投入口１３を閉塞した状態の仕切板２１の先端が位置する片側の壁板１１にのみ備えられ、その壁板１１にはストッパ６１が突出・退入するための貫通口が形成されている。そして、ストッパ６１は、押蓋２２が収容部１０の投入口１３を閉塞するまで突出し、閉塞した状態では退入する。このようなストッパ６１の高さは、例えば押圧体４１の高さの４分の１ほどで、ストッパ６１のストロークは、収容部１０の幅方向で４分の１ほどとされている。
【００３３】
さらに、本実施形態の廃棄物プレス装置は、押蓋２２が収容部１０の投入口１３を閉塞した状態で、仕切板２１の内面と排出口１４側へ移動した押圧体４１との間に挟まれて、一方の壁板１２側から他方の壁板１１側へ移動する副押圧体７３を有する幅方向の圧縮手段７０が備えられている。この幅方向の圧縮手段７０は、収容部１０の排出口１４を閉じた状態の仕切板２１の内面から奥部１６寄りに備えられている。そして該幅方向の圧縮手段７０は、サブシリンダ７１と、該サブシリンダ７１から油圧によって伸長・縮退するロッド（図示せず）と、該ロッドの先端に取り付けられた副押圧体７３によって構成されている。
【００３４】
副押圧体７３は、メインシリンダ４２によって移動する押圧体４１の高さと同じとされ、該副押圧体７３が突出・退入するための貫通口が一方の壁板１２に形成されている。このような幅方向の圧縮手段７０は、前記滑り防止装置６０が作動していない段階において作動するが、前記滑り防止装置６０のストッパ６１が設けられていない側の壁板１２に備えられている。
【００３５】
本実施形態の廃棄物プレス装置は、以上のように構成され、次に廃棄物を圧縮し、ブロック化する方法について説明する。
【００３６】
まず、蓋押シリンダ３１のロッド３２を縮退し、押蓋２２が収容部１０の投入口１３を開口し、仕切板２１が排出口１４を開けた状態とし、かつメインシリンダ４２のロッド４３が縮退し、押圧体４１が収容部１０の奥部１６側に位置した状態として、廃棄物を収容部１０内に投入する。このとき、さらに押蓋ロック装置５０のかんぬき５３と、滑り防止装置６０のストッパ６１と、幅方向の圧縮手段７０の副押圧体７３は、いずれも壁板１１，１２内に退入させている。なお、廃棄物が自動車であれば、タイヤやエンジンは取り外されている。
【００３７】
次に、滑り防止装置６０のストッパ６１を収容部１０内に突出させた後、蓋押シリンダ３１のロッド３２を伸長し、押蓋２２が収容部１０の投入口１３を閉塞するようにする。このとき、押蓋２２は鉛直方向に移動せず、軸２３を支点に動くため、押蓋２２から廃棄物へ、排出口１４の方に向かう斜め下向きの力が生じる。この斜め下向きの力は、収容部１０の底板１５の方へ向かう鉛直方向の力と、排出口１４の方へ向かう水平方向の力に分解して考えることができる。収容部１０の底板１５の方へ向かう鉛直方向の力によって廃棄物は鉛直方向に圧縮される。
【００３８】
一方、排出口１４の方へ向かう水平方向の力によって、廃棄物は排出口１４の方へ移動する。しかし、滑り防止装置６０のストッパ６１が収容部１０内に突出していることから、廃棄物はこのストッパ６１に衝止される。廃棄物が自動車であっても、タイヤが取り外されていることから、廃棄物は収容部１０の底板１５と接合しており、廃棄物はストッパ６１よりも排出口１４の方へ押し出されることがない。したがって、押蓋２２が収容部１０の投入口１３を閉塞する途中において、押蓋２２の先端に連続して設けられた仕切板２１の先端が廃棄物の上部を突き刺すようなことがない。
【００３９】
そして、蓋押シリンダ３１のロッド３２がさらに伸長し、押蓋２２が廃棄物を排出口１４の方へ移動させる水平方向の力を生じなくなった段階において、滑り防止装置６０のストッパ６１を退入させる。その後、押蓋シリンダ３１のロッド３２が最大限伸長し、図１および図２の仮想線に示すように押蓋２２が収容部１０の投入口１３を完全に閉塞し、仕切板２１の先端が収納部の底板１５と当接する。この当接する部分の底板１５上にガラスの破片などの屑が飛散していても、押蓋シリンダ３１は従来のゲートシリンダよりもはるかに強力であるため、屑は押し潰され、仕切板２１の先端は収納部の底板１５と当接し、廃棄物は鉛直方向に圧縮される。
【００４０】
そして、押蓋ロック装置５０のかんぬき５３を突出する。このとき、押蓋ロック装置５０のかんぬき５３は、仕切板２１から突出した突出部５１のテーパ面５１ａと、突起部５２の上面とに接合する。その後、メインシリンダ４２のロッド４３が伸長し、押圧体４１が排出口１４の方へ進行し、収容部１０内の廃棄物を排出口１４の方へ押圧する。滑り防止装置６０のストッパ６１が退入していることから、廃棄物は押圧体４１と仕切板２１とに挟まれ、長さ方向に圧縮される。
【００４１】
押圧体４１が廃棄物を押圧することにより、仕切板２１も押圧されるが、仕切板２１に突設された突出部５１のテーパ面５１ａが押蓋ロック装置５０のかんぬき５３のテーパ面５３ａに衝止され、仕切板２１と押蓋２２との結合部には過大な負荷が加えられない。そして、突出部５１の正面はテーパ面とされたことにより、かんぬき５３に加えられる力は幅方向だけでなく、軸方向にも分散され、かんぬき５３は破損することがない。また押圧体４１が廃棄物を押圧することにより、押蓋２２を押し上げようとする力が生じても、かんぬき５３が突起部５２の上面を衝止していることにより、押蓋シリンダ３１や押蓋２２を取り付けている軸２３などに無理な力が加えられず、耐久性を向上させつつ、押蓋２２は収容部１０の投入口１３を閉塞した状態を維持する。
【００４２】
押圧体４１が所定の位置まで移動すると、リミットスイッチが作動し、メインシリンダ４２のロッド４３は一旦、伸長しなくなる。そして、幅方向の圧縮手段７０のロッドが伸長し、副押圧体７３が長さ方向に圧縮された廃棄物を幅方向に圧縮する。このようにして廃棄物がコンパクトにブロック化された後、幅方向の圧縮手段７０のロッドを縮退させ、副押圧体７３が壁板１２内に退入し、押蓋ロック装置５０のかんぬき５３を壁板１１，１２内に退入させる。その後、押蓋シリンダ３１のロッド３２を縮退し、押蓋２２が収容部１０の投入口１３を開口するとともに、仕切板２１も排出口１４を開ける状態となる。そしてメインシリンダ４２のロッド４３を再度、伸長し、押圧体４１がブロック化された廃棄物を排出口１４から排出する。
【００４３】
なお、廃棄物が大型および／または高密度であると、水平方向の圧縮手段４０のリミットスイッチが作動する前に押圧体４１が停止することがある。このときは、廃棄物は規定の大きさに圧縮されていないため、幅方向の圧縮手段７０によって廃棄物を幅方向に圧縮することなく、長さ方向にのみ圧縮された廃棄物として排出する。
【００４４】
本発明は、前記実施形態に限定することなく本発明の特許請求の範囲に記載した技術的事項の範囲内において種々変更することができる。例えば、鉛直方向の圧縮手段３０の圧縮力が強大であるときは、押蓋ロック装置５０を具備しないようにすることができる。また、押蓋２２は基端部が収容部１０の奥部１６に軸２３によって揺動自在に取り付けられず、鉛直方向に昇降動するようにしてもよい。
【００４５】
【発明の効果】
本発明によれば、ゲートシリンダによって昇降動する仕切板などが備えられず、押蓋の先端に仕切板が連続して設けられ、その仕切板が収納部の排出口を確実に閉じるたことにより、本廃棄物プレス装置は、保守作業を減少することができる。したがって、保守作業のために作業が中断することが少なくなり、廃棄物処理のコストダウンを図ることができる。また、押蓋の先端に仕切板を連続して設けることにより、部品点数を従来よりも少なくすることができるため、廃棄物プレス装置のコストダウンを図ることもできる。
【図面の簡単な説明】
【図１】本発明にかかる廃棄物プレス装置の一実施形態を示す斜視図
【図２】本発明にかかる廃棄物プレス装置の一実施形態を示す正面図
【図３】本発明にかかる廃棄物プレス装置の一実施形態を示す要部拡大斜視図
【図４】従来の廃棄物プレス装置の斜視図
【符号の説明】
１０……収容部
１１……壁板
１２……壁板
１３……投入口
１４……排出口
１５……底板
１７……塔部
２１……仕切板
２２……押蓋
３０……鉛直方向の圧縮手段
３１……押蓋シリンダ
３２……ロッド
４０……水平方向の圧縮手段
４１……押圧体
５０……押蓋ロック装置
５１……突出部
５１ａ…テーパ面
５２……突起部
５３……かんぬき
５３ａ…テーパ面
６０……滑り防止装置
６１……ストッパ
７０……幅方向の圧縮手段
７３……副押圧体
【図１】
2004082138.tif 000003
【図２】
2004082138.tif 000004
【図３】
2004082138.tif 000005
【図４】
2004082138.tif 000006